(57)【要約】【課題】ポストロール区間を記録しないようにする。【解決手段】AUTO EDITコマンドを受信すると、記録を開始させるＩＮ点までプリロールされ、再生が開始される。ＩＮ点まで再生がされると、記録が開始される。記録が開始されると、記録を終了させるＯＵＴ点に到達するまで記録が継続される。ＯＵＴ点に到達すると、ポストロール区間を記録するように設定されているか否かが判断される。ポストロール区間を記録しないと設定されていた場合、記録が終了され、ポストロール区間を記録すると設定されていた場合、ポストロール区間の記録が継続されたあと、記録が終了される。本発明は、映像を編集する編集システムに適用できる。【選択図】図１３
2008065895.tif 000002
【特許請求の範囲】
【請求項１】
所定のコマンドを受信したときに、そのコマンドに対応する処理として、記録を制御する記録制御手段と、
前記記録制御手段により記録が制御され、所定の記録媒体にデータを記録する記録手段と
を備え、
前記記録制御手段は、前記データの記録を終了させる時点で、記録を終了させるか否かを判断し、
記録を終了させると判断した場合、記録を終了するように前記記録手段を制御し、
記録を終了させないと判断した場合、所定の時間分のデータを記録したあと、記録を終了するように前記記録手段を制御する
編集装置。
【請求項２】
前記所定のコマンドは、AUTO EDITコマンドである
請求項１に記載の編集装置。
【請求項３】
前記所定の記録媒体は、ディスク状の記録媒体である
請求項１に記載の編集装置。
【請求項４】
前記所定の時間分のデータは、ポストロール（POSTROLL）区間分のデータである
請求項１に記載の編集装置。
【請求項５】
前記記録制御手段は、ユーザにより設定された設定情報に基づき、記録を終了させるか否かの判断を行い、
前記設定情報をユーザが設定できるユーザインタフェースをさらに備える
請求項１に記載の編集装置。
【請求項６】
所定の記録媒体にデータを記録する記録手段を備える編集装置の編集方法であって、
所定のコマンドを受信したときに、そのコマンドに対応する処理として、前記記録手段による記録を制御する記録制御ステップを含み、
前記記録制御ステップは、前記データの記録を終了させる時点で、記録を終了させるか否かを判断し、
記録を終了させると判断した場合、記録を終了するように前記記録手段を制御し、
記録を終了させないと判断した場合、所定の時間分のデータを記録したあと、記録を終了するように前記記録手段を制御する
編集方法。
【請求項７】
所定の記録媒体にデータを記録する記録手段を制御するコンピュータのプログラムであって、
所定のコマンドを受信したときに、そのコマンドに対応する処理として、前記記録手段による記録を制御する記録制御ステップを含み、
前記記録制御ステップは、前記データの記録を終了させる時点で、記録を終了させるか否かを判断し、
記録を終了させると判断した場合、記録を終了するように前記記録手段を制御し、
記録を終了させないと判断した場合、所定の時間分のデータを記録したあと、記録を終了するように前記記録手段を制御する
プログラム。
【発明の詳細な説明】
【技術分野】
【０００１】
本発明は編集装置および方法、並びにプログラムに関し、特に、複数の映像の編集時に、ポストロールを記録しない編集を行えるようにした編集装置および方法、並びにプログラムに関する。
【背景技術】
【０００２】
ビデオテープなどに記録された映像から必要な部分を切り出し、つなぎ合わせ、新たな映像を作り出したり、既にある映像に所定のシーンを挿入したりするといった編集が行われることがある。
【０００３】
図１は、従来の編集システムの一例の構成を示す図である。図１に示した編集システムは、再生用ＶＴＲ（Video Tape Recoder）１１、記録用ＶＴＲ１２、および、編集用コントローラ１３を含む構成とされている。図１に示した編集システムは、リニア編集を行う場合のシステム構成例である。
【０００４】
再生用ＶＴＲ１１は、ビデオテープに記録されている映像や音声（以下、代表して映像とだけ記載する）を再生し、記録用ＶＴＲ１２に供給する。再生用ＶＴＲ１１が再生を開始したり、終了したりする動作や、記録用ＶＴＲ１２が、記録を開始したり、終了したりする動作は、編集コントローラ１３により制御される。
【０００５】
図１に示した編集システムで行われる編集について説明する。編集システムによる編集として、例えば、図２に示すように、素材テープに記録されている映像Ａ、映像Ｂ、映像Ｃを切り出し、映像Ｂ、映像Ａ、映像Ｃの順番でつなぎ合わせ、記録用テープ（完パケテープ）を作成する編集がある。このような、素材テープの必要箇所を順次ダビングするような編集が行われる場合、以下のような処理が、図１に示した編集システムにおいて行われる。
【０００６】
まず、再生用ＶＴＲ１１で、素材テープのうちの映像Ｂの部分が再生され、記録用ＶＴＲ１２に供給され、記録用ＶＴＲ１２で映像Ｂが記録される。次に、再生用ＶＴＲ１１で、映像Ａの部分が再生され、、記録用ＶＴＲ１２に供給され、記録用ＶＴＲ１２で映像Ａが記録される。そして、再生用ＶＴＲ１１で、映像Ｃの部分が再生され、記録用ＶＴＲ１２に供給され、記録用ＶＴＲ１２で映像Ｃが記録される。
【０００７】
このような再生と記録が繰り返されることにより、映像Ｂ、映像Ａ、映像Ｃの順番で記録された完パケテープが作成される。このような再生や記録が行われるように、編集コントローラ１３は、再生用ＶＴＲ１１と記録用ＶＴＲ１２にコマンドを出して制御を行う。また、このような編集ができるように、再生用ＶＴＲ１１と記録用ＶＴＲ１２は、それぞれタイミングが合った動作を行う必要がある。
【０００８】
図１に示した編集システムにおいて、編集コントローラ１３が、再生用ＶＴＲ１１と記録用ＶＴＲ１２を制御するとしたが、再生用ＶＴＲ１１と記録用ＶＴＲ１２のうちの、どちらかが、編集コントローラ１３の役割を兼ねる構成とされるときもある。
【０００９】
他の編集としてインサートと称される編集がある。インサートとは、図３に示すように、既に映像が記録されている記録済テープに対して、映像Ａを挿入し、完パケテープを作成するような編集である。インサートの場合、記録済テープに記録されている映像の一部区間に、映像Ａの映像が上書きされる。
【００１０】
インサートの場合には、例えば、記録用ＶＴＲ１２に、映像が記録されている記録済テープがセットされ、再生用ＶＴＲ１１に映像Ａが記録されているビデオテープがセットされ、再生される。再生用ＶＴＲ１１により再生された映像Ａが、記録用ＶＴＲ１２に供給され、記録済テープのインサートが指示された部分に上書きされる。
【００１１】
次に、他の編集としてアセンブルと称される編集について説明する。アセンブルという編集は、基本的に空のビデオテープ（映像が記録されていないビデオテープ）に、映像を順次記録していく編集である。アセンブルに関し、図４を参照して説明する。
【００１２】
時点１は、ビデオテープに何も記録されていない状態である。この空のビデオテープは、記録用ＶＴＲ１２にセットされる。時点２において、映像Ａが、空のビデオテープに記録される。時点２のときには、再生用ＶＴＲ１１に映像Ａが記録されているビデオテープがセットされ、再生され、記録用ＶＴＲ１２に供給されることにより、記録用ＶＴＲ１２で、空のビデオテープに映像Ａが記録される。
【００１３】
このように、映像Ａが記録されるように、編集コントローラ１３は、再生用ＶＴＲ１１と記録用ＶＴＲ１２にコマンドを出し、再生の開始の制御や記録の開始の制御などを行う。
【００１４】
時点３において、映像Ａが記録されたビデオテープに映像Ｂがさらに記録される。この映像Ｂが記録されるときも、映像Ａが記録されたときと同様の処理が、編集システムにおいて行われる。さらに、時点４において、映像Ａと映像Ｂが記録されたビデオテープに映像Ｃが記録される。この映像Ｃが記録されるときも、映像Ａや映像Ｂが記録されたときと同様の処理が、編集システムにおいて行われる。
【００１５】
図５を参照し、さらに、詳細にアセンブルに関する処理について説明を加える。時点１は、ビデオテープに映像Ｘが記録されている状態である。図４を参照した説明においては、“空のビデオテープ”と記述したが、実際には、ビデオテープの先頭部分には、予め所定の信号が記録されている。所定の信号とは、例えば、カラーバーなどのテスト用の信号である。
【００１６】
時点１に示したように、テスト用の信号が記録されているビデオテープに、映像Ａを記録させる。映像Ａは、ＩＮ点から記録される。ＩＮ点から映像Ａが記録される場合、ＩＮ点より少し前に頭出し（プリロール）がされ、再生が開始される。このように、実際に記録を開始するＩＮ点より前から再生を開始するのは、ビデオテープの走行を安定させるのに必要な区間を確保するため、また、再生用ＶＴＲ１１と記録用ＶＴＲ１２のタイミングを合わせるために必要な区間を確保するためである。
【００１７】
ビデオテープが再生され、ＩＮ点に到達すると（時点３）、映像Ａの記録が開始される。
【００１８】
記録用ＶＴＲ１２には、映像Ｘが記録されたビデオテープがセットされ、記録用ＶＴＲ１２は、そのセットされているビデオテープのＩＮ点より前の部分から再生を開始する。再生されている間に、ビデオテープが安定走行する状態になり、再生用ＶＴＲ１１とのタイミングが合う状態にされる。そして、ＩＮ点に到達すると、再生用ＶＴＲ１１により映像Ａが再生され、記録用ＶＴＲ１２で供給される映像Ａの記録が開始される。
【００１９】
編集コントローラ１３は、ＩＮ点まで再生し、ＩＮ点に到達した時点で、記録に切り替えるように、記録用ＶＴＲ１２を制御する。また編集コントローラ１３は、ＩＮ点に到達した時点で、映像Ａの再生が開始されるように、再生用ＶＴＲ１１を制御する。
【００２０】
映像Ａの記録が継続され、映像Ａの記録を終了するＯＵＴ点（記録したい区間の最後）に到達しても、記録は継続される（時点４）。ＯＵＴ点から実際に記録が終了されるまでの区間は、ポストロール（POSTROLL）区間などと称される。ポストロール区間は、例えば、２秒間などである。
【００２１】
ポストロール区間が設けられるのは、次の編集に備えた区間であり、余裕の区間が必要とされるからである。このように、ＯＵＴ点に到達してもポストロール区間が経過するまで、記録用ＶＴＲ１２は記録を継続する。
【００２２】
時点２から時点５までの処理は、編集コントローラ１３から“AUTO EDIT”というコマンドが記録用ＶＴＲ１２に出されることにより実行される。
【００２３】
さらに、映像Ａの後に映像Ｂが記録される場合、時点６に示すように、先にＯＵＴ点とされた点がＩＮ点とされ、そのＩＮ点から映像Ｂが記録される。すなわち、時点２や、時点３のときの処理と同じように、映像ＡのＯＵＴ点（映像ＢのＩＮ点）より前の部分から再生され、ＩＮ点に到達したときに、映像Ｂの記録が開始される。
【００２４】
このように、ポストロール区間は、次の編集で上書きされてしまうため、最終的な完パケテープには残らない。
【００２５】
ここまでは、図１に示したようなリニア編集を行う編集システムにおける編集について説明したが、説明した編集は、図６に示すようなノンリニア編集を行う編集システムにおいても基本的に同様に行われる。
【００２６】
図６に示した編集システムは、ノンリニア編集を行うシステムであり、ＶＴＲ２１とノンリニア編集機（ＮＬＥ）２２を含む構成とされている。ＶＴＲ２１は、映像や音声が記録されたビデオテープを再生し、ノンリニア編集機２２に供給する。ノンリニア編集機２２は、例えば、ＰＣ（Personal Computer）などから構成され、内蔵するハードディスクドライブ（ＨＤＤ）に、ＶＴＲ２１からの映像を取り込む。
【００２７】
ＨＤＤは、ランダムアクセス可能なので、例えば、図２を参照して説明したような、所定の映像から必要な箇所を切り取り、順番を入れ換えて記録するといったような編集を、ビデオテープの場合とは異なり、テープの巻き戻しや早送りといった処理を行わなくても行うことが可能であるため、編集がしやすいという利点がある。
【００２８】
ノンリニア編集機２２は、内蔵したＨＤＤなどに記録された映像を編集し、完パケを作成する。作成された完パケは、ＶＴＲ２１に供給され、ＶＴＲ２１にセットされたビデオテープに記録される。
【００２９】
このように、ＶＴＲ２１から素材をノンリニア編集機２２に供給する（手順１）、ノンリニア編集機２２で編集を行い、完パケを作成する（手順２）、ノンリニア編集機２２から作成された完パケを供給し、ＶＴＲ２１で完パケを記録する（手順３）といった流れで処理が行われる。手順１と手順３は、リニア編集のときと同じコマンドが用いられて処理が実行される。
【００３０】
リニア編集のときとノンリニア編集のときとで、同じ制御コマンドが用いられることにより、素材中の所望の区間を正確に取り込むこと（ＶＴＲ２１からノンリニア編集機２２に、所望の区間の映像を正確に供給し、記録させること）ができ、完パケをビデオテープに正確に記録させること（ノンリニア編集機２２からＶＴＲ２１に完パケを正確に供給し、ＶＴＲ２１にセットされているビデオテープに正確に記録させること）ができる。
【００３１】
また、ノンリニア編集機２２からＶＴＲ２１に完パケを供給し、ＶＴＲ２１で記録するとき、AUTO EDITコマンドが使われることがある。AUTO EDITコマンドが使われた場合、図７を参照して説明するように処理が行われる。
【００３２】
時点１は、新たな映像を記録させるビデオテープにカラーバーなどのテスト信号の映像Ｘが既に記録されている状態であり、そのようなビデオテープがＶＴＲ２１にセットされている状態である。時点２において、AUTO EDITが実行されると、ノンリニア編集機２２からＶＴＲ２１に完パケＡが供給され、ＶＴＲ２１において、信号Ｘの次に完パケＡがＩＮ点からＯＵＴ点まで記録され、さらにＯＵＴ点からポストロール区間分、記録処理が継続される。ＯＵＴ点から記録されるポストロール区間には、例えば黒画像の信号が記録される。
【００３３】
ノンリニア編集機２２において、複数の完パケを作成し、それらの完パケをつなげて、新たな完パケを作成する場合、時点３に示すように、例えば、完パケＡの後に完パケＢが記録される。完パケＢの先頭部分は、完パケＡの記録の際に作成されたポストロール区間に上書きされる。そのため、完パケＡと完パケＢの間にポストロール区間は存在しない状態になる（時点３）。
【００３４】
このように、ポストロール区間は、次の完パケが上書きされることにより、新たに作成された完パケには、ポストロール区間が存在せずに、完パケ同士が綺麗につながった完パケが作成される。ただし、図７の時点３に示すように、最後に書き込まれた完パケＢの末尾には、ポストロール区間が存在する。
【００３５】
上記したような編集を行う装置は、例えば、非特許文献１に示すように、流通している。
【非特許文献１】ソニー株式会社、[online]、［平成１８年９月１日検索］、インターネット＜URL：http://www.ecat.sony.co.jp/business/video_production/acc/index.cfm?PD=22584&KM=RM-280＞
【発明の開示】
【発明が解決しようとする課題】
【００３６】
上記したような説明においては、記録媒体がビデオテープの場合（完パケの記録を行うのがＶＴＲの場合）を例にあげて説明した。近年、記録媒体として、ビデオテープ以外の記録媒体が用いられるつつある。例えば、ディスク状の記録媒体が用いられたビデオカメラ、再生装置、記録装置などが普及しつつある。ビデオテープ以外の記録媒体が用いられた場合においても、上記したような編集は同様に行われているし、ユーザも同様に行えることを期待している。
【００３７】
しかしながら、例えばテープ状の記録媒体とディスク状の記録媒体を比較したとき、それぞれの記録媒体に特徴があり、同一に扱うことができない場合もある。例えば、ディスク状の記録媒体を用いたときには、図８に示すような再生と記録が行われる。
【００３８】
ディスク状の記録媒体に記録されている映像データが再生されている状態のとき、時刻ｔ１において、記録の指示が出されると、既に映像データが記録されているポイントＰ２の位置から記録が行われる。換言すれば、時刻ｔ１のとき、ポイントＰ１が再生されていても、そのポイントＰ１から記録が開始されるのではなく、既に記録がされている映像データの末尾であるポイントＰ２から記録が開始される。
【００３９】
さらに換言するならば、ディスク状の記録媒体が用いられているときには、上書きされずに、記録が行われる。このように上書きされないように制御されることにより、誤って既に記録されている映像データを上書きしてしまう（削除してしまう）ようなことを防ぐことが可能なる。また、既に記録されている映像データを再生し、その映像を確認しているような場合であっても、記録させたい映像があったときに、即座に対応すること（記録を開始すること）が可能となる。
【００４０】
ビデオテープの場合、例えば、記録されている映像を再生しているときに、記録を開始させると、その時点で再生されているテープ上のポイントから記録が開始される。この場合、既に記録されている映像があると、その上に上書きされてしまうことになり、既に記録されていた、そのポイント以降の映像は失われてしまうことになる。
【００４１】
または、テープが早送りされ、映像が記録されていない箇所まで移動され、そこから記録が開始される。この場合、テープが早送りされている間、記録が行われないため、ユーザが記録したかった映像が記録できない（記録のチャンスを失う）可能性があった。
【００４２】
ディスク状の記録媒体では、ビデオテープ記録媒体と異なり、ランダムアクセス可能なため、上記したように、既に記録されているデータを削除するようなことなく、再生から記録へと動作を即座に切り替えることができる。
【００４３】
ディスク状の記録媒体においては、図８を参照して説明したように、既に記録されているデータを削除しないように、新たなデータの記録が行われる。ここで、このような制御が行われるディスク状の記録媒体を用いて、例えば、図７を参照して説明したような編集（アセンブル）が行われるときの処理について説明を加える。
【００４４】
ディスク状の記録媒体が用いられて、複数の完パケが接続され１つの完パケが作成される場合、図９に示すように作成される。図９の時点２’は、AUTO EDITが１度実行されたあとの状態であり、AUTO EDITが実行されたことにより完パケＡが記録されている状態を示している。これは、図７に示したビデオテープに完パケＡを記録した状態（時点２）と同等な状態である。すなわち、ディスク状の記録媒体で編集するときも、ポストロール区間が記録される。
【００４５】
完パケＡが記録されたあと、さらに、AUTO EDITが実行され、完パケＢが記録される場合、図９の時点３’に示すように、ポストロール区間の後に完パケＢの記録が開始される。すなわちこの場合、ポストロール区間には上書きされずに、ポストロール区間がそのまま残ることになる。これは、図８を参照して説明したように、ディスク状の記録媒体の場合、再生されているときに記録が開始されると、既に記録されているデータを上書きしないように制御されるためである。
【００４６】
完パケＢが完パケＡの後に記録されるとき、処理の流れとしては、まず完パケＡが再生される。そして、完パケＡのＯＵＴ点（完パケＢのＩＮ点）に到達すると記録が開始されるが、再生から記録に処理が変わるので、図８に示した状態と同じであり、既に記録されているデータに上書きしないような制御が行われ、結局、ポストロール区間の末尾まで記録位置が移動され、ポストロール区間の終了点が、完パケＢのＩＮ点とされ、記録が開始される。
【００４７】
このような処理が行われるため、完パケＡと完パケＢとの間にポストロール区間が残ってしまう。編集者が、完パケＡと完パケＢが連続した映像を期待して編集したような場合であっても、作成された完パケは、完パケＡと完パケＢとの間に、黒画像などのポストロール区間の映像が挿入された形の映像となってしまう。
【００４８】
このように、ポストロール区間が残ってしまうことにより、編集者が意図した映像と異なる映像が、編集者に提供されてしまうといった不都合が生じることがあった。
【００４９】
換言すれば、ビデオテープを用いた編集と同様に、AUTO EDITのコマンドで、編集をさせると、ビデオテープを用いた編集のときには得られていた映像が、ディスク状の記録媒体を用いたときには得られないといったことが発生してしまう可能性があった。そのためにディスク状の記録媒体が用いられたときには、ビデオテープの場合と同様の編集を、同様に行わせることができず、編集者が混乱してしまうといったことや、編集者に煩わしさを感じさせてしまうといったことがあった。
【００５０】
本発明は、このような状況に鑑みてなされたものであり、複数の映像を余分な映像を挟むことなく接続できるようにするものである。
【課題を解決するための手段】
【００５１】
本発明の一側面の編集装置は、所定のコマンドを受信したときに、そのコマンドに対応する処理として、記録を制御する記録制御手段と、前記記録制御手段により記録が制御され、所定の記録媒体にデータを記録する記録手段とを備え、前記記録制御手段は、前記データの記録を終了させる時点で、記録を終了させるか否かを判断し、記録を終了させると判断した場合、記録を終了するように前記記録手段を制御し、記録を終了させないと判断した場合、所定の時間分のデータを記録したあと、記録を終了するように前記記録手段を制御する。
【００５２】
前記所定のコマンドは、AUTO EDITコマンドであるようにすることができる。
【００５３】
前記所定の記録媒体は、ディスク状の記録媒体であるようにすることができる。
【００５４】
前記所定の時間分のデータは、ポストロール（POSTROLL）区間分のデータであるようにすることができる。
【００５５】
前記記録制御手段は、ユーザにより設定された設定情報に基づき、記録を終了させるか否かの判断を行い、前記設定情報をユーザが設定できるユーザインタフェースをさらに備えるようにすることができる。
【００５６】
本発明の一側面の編集方法は、所定の記録媒体にデータを記録する記録手段を備える編集装置の編集方法であって、所定のコマンドを受信したときに、そのコマンドに対応する処理として、前記記録手段による記録を制御する記録制御ステップを含み、前記記録制御ステップは、前記データの記録を終了させる時点で、記録を終了させるか否かを判断し、記録を終了させると判断した場合、記録を終了するように前記記録手段を制御し、記録を終了させないと判断した場合、所定の時間分のデータを記録したあと、記録を終了するように前記記録手段を制御する。
【００５７】
本発明の一側面のプログラムは、所定の記録媒体にデータを記録する記録手段を制御するコンピュータのプログラムであって、所定のコマンドを受信したときに、そのコマンドに対応する処理として、前記記録手段による記録を制御する記録制御ステップを含み、前記記録制御ステップは、前記データの記録を終了させる時点で、記録を終了させるか否かを判断し、記録を終了させると判断した場合、記録を終了するように前記記録手段を制御し、記録を終了させないと判断した場合、所定の時間分のデータを記録したあと、記録を終了するように前記記録手段を制御する。
【００５８】
本発明の一側面の編集装置および方法、並びにプログラムにおいては、所定の記録媒体にデータを記録するとき、記録が終了される時点で、記録を即座に停止するか、所定の区間分だけ記録を継続したあと記録を停止するかの判断が行われ、その判断に基づく記録が実行される。
【発明の効果】
【００５９】
本発明の一側面によれば、複数の映像を接続するときに、ポストロール区間などと称される区間を、含ませるか否かをユーザが選択できるようになる。また、ユーザの選択の結果、ポストロール区間を含ませないと選択されたときには、映像同士をポストロール区間がない状態で接続することが可能となる。
【発明を実施するための最良の形態】
【００６０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００６１】
本発明の一側面の編集装置（例えば、図１１の記録装置５１）は、所定のコマンドを受信したときに、そのコマンドに対応する処理として、記録を制御する記録制御手段（例えば、図１１の制御部７１）と、前記記録制御手段により記録が制御され、所定の記録媒体にデータを記録する記録手段（例えば、図１１の記録部７２）とを備える。
【００６２】
前記記録制御手段は、ユーザにより設定された設定情報に基づき、記録を終了させるか否かの判断を行い、前記設定情報をユーザが設定できるユーザインタフェース（例えば、図１５に示した画面）をさらに備えるようにすることができる。
【００６３】
本発明の一側面の編集方法およびプログラムは、所定の記録媒体にデータを記録する記録手段を備える編集装置の編集方法であって、所定のコマンドを受信したときに、そのコマンドに対応する処理として、前記記録手段による記録を制御する記録制御ステップを含み、前記記録制御ステップは、前記データの記録を終了させる時点で、記録を終了させるか否かを判断し（例えば、図１３のステップＳ１６，Ｓ１７）、記録を終了させると判断した場合、記録を終了するように前記記録手段を制御し（例えば、図１３のステップＳ１８）、記録を終了させないと判断した場合、所定の時間分のデータを記録したあと、記録を終了するように前記記録手段を制御する（例えば、図１３のステップＳ１９）。
【００６４】
以下に、本発明の実施の形態について図面を参照して説明する。
【００６５】
図１０は、本発明を適用した編集システムの一実施の形態の構成を示す図である。図１０に示した編集システムは、記録装置５１とノンリニア編集機５２を含む構成とされている。図１０に示した編集システムにおいて、ノンリニア編集機５２は、内蔵する記録媒体、例えばハードディスクドライブ（ＨＤＤ）に、映像データを記録し、その記録されている映像データを編集し、完パケデータを作成する。
【００６６】
なおここでは、“映像データを編集する”、“映像データを記録する”といった記載をするが、映像データに付随する音声データも、映像データの編集に合わせて編集や記録がされる。すなわち、“映像データを編集する”、“映像データを記録する”といった記載には、適宜、音声データも編集、記録されていることを含む記載であるとし、映像データのみが編集や記録の対象となっているという限定を示す記載ではない。
【００６７】
ノンリニア編集機５２により作成された完パケは、記録装置５１に供給され、記録装置５１にセットされている所定の記録媒体に記録される。
【００６８】
ノンリニア編集機５２は、内蔵する記録媒体に映像データを記録するが、その記録する映像データは、記録装置５１から供給されるようにしても良い。すなわち、記録装置５１が再生機能を有し、その再生機能により再生された映像データが、ノンリニア編集機５２に供給され、記録されるようにしても良い。
【００６９】
図１１は、記録装置５１の内部構成例を示す図である。記録装置５１は、制御部７１、記録部７２、および、操作・表示部７３を備える構成とされる。
【００７０】
制御部７１は、ＣＰＵ（Central Processing Unit）などから構成され、記録装置５１の各部を制御する。具体的に、制御部７１は、ノンリニア編集機５２からのAUTO EDITコマンドを入力すると、AUTO EDITコマンドが入力されたときの処理を、記録部７２の記録動作を制御することにより行う。また、制御部７１は、そのような制御を行うために、記録部７２の状態を監視する。
【００７１】
記録部７２は、所定の記録媒体に対して、映像データを記録する。所定の記録媒体として、例えば、ディスク状の記録媒体が用いられる。
【００７２】
操作・表示部７３は、キーボードやマウスなどで構成される操作部と、操作部による操作を反映した表示を行うディスプレイなどで構成される表示部とから構成される。操作・表示部７３は、タッチパネルなどで構成されていても良く、タッチパネルなどで構成される場合、操作部と表示部が一体型に構成される。
【００７３】
図１２は、ノンリニア編集機５２の内部構成例を示す図である。ノンリニア編集機５２は、パーソナルコンピュータで構成することができ、図１２に示した構成は、パーソナルコンピュータの構成例を示す。
【００７４】
ＣＰＵ１０１は、ＲＯＭ（Read Only Memory）１０２、または記憶部１０８に記憶されているプログラムに従って各種の処理を実行する。ＲＡＭ（Random Access Memory）１０３には、ＣＰＵ１０１が実行するプログラムやデータなどが適宜記憶される。これらのＣＰＵ１０１、ＲＯＭ１０２、およびＲＡＭ１０３は、バス１０４により相互に接続されている。
【００７５】
ＣＰＵ１０１にはまた、バス１０４を介して入出力インタフェース１０５が接続されている。入出力インタフェース１０５には、キーボード、マウス、マイクロホンなどよりなる入力部１０６、ディスプレイ、スピーカなどよりなる出力部１０７が接続されている。ＣＰＵ１０１は、入力部１０６から入力される指令に対応して各種の処理を実行する。そして、ＣＰＵ１０１は、処理の結果を出力部１０７に出力する。
【００７６】
入出力インタフェース１０５に接続されている記憶部１０８は、例えばハードディスクからなり、ＣＰＵ１０１が実行するプログラムや各種のデータを記憶する。また、記憶部１０８は、記録装置５１からの映像データを記憶する。通信部１０９は、インターネットやローカルエリアネットワークなどのネットワークを介して外部の装置と通信する。
【００７７】
また、通信部１０９を介してプログラムを取得し、記憶部１０８に記憶してもよい。
【００７８】
入出力インタフェース１０５に接続されているドライブ１１０は、磁気ディスク、光ディスク、光磁気ディスク、あるいは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【００７９】
次に、図１０に示した編集システムで実行される編集について説明する。ここでは、アセンブルなどと称される、複数の映像（完パケ）を接続し、新たな映像（完パケ）を作成する際の処理を例にあげて説明する。
【００８０】
アセンブルについては、図５、図７、図９を参照して説明したが、再度、これらの図面を参照し、簡便に説明を加える。
【００８１】
図５を再度参照するに、時点１のビデオテープには、テスト信号として映像Ｘが記録されている。テスト用の信号が記録されているビデオテープに、映像Ａを記録させる場合、AUTO EDITコマンドが出されることにより、ＩＮ点から映像Ａの記録が開始される。
【００８２】
映像Ａの記録が継続され、映像Ａの記録を終了するＯＵＴ点（記録したい区間の最後）に到達しても、ポストロール（POSTROLL）区間分だけ記録が継続される（時点３，４）。ポストロール区間は、例えば、２秒間などである。
【００８３】
引き続き、AUTO EDITコマンドが出されることにより、映像Ｂが記録される場合、映像ＡのＯＵＴ点が映像ＢのＩＮ点とされ、記録が行われる。すなわち、映像Ａが記録されたときに作成されたポストロール区間は、映像Ｂが上書きされることにより削除され、映像Ａと映像Ｂが連続的に接続された映像とされる。
【００８４】
このような編集は、ビデオテープなどのテープ状の記録媒体が用いられているときは一般的に行われていた編集である。ディスク状の記録媒体が用いられているときにも、AUTO EDITコマンドが出されることにより、映像Ａと映像Ｂが接続されるときには、同様の処理が行われる。しかしながら、ディスク状の記録媒体に映像Ａと映像Ｂが、同様の処理が行われることにより記録される場合、図９を参照して説明したように、映像Ａと映像Ｂの間に、ポストロール区間が存在する映像とされてしまう。
【００８５】
これは、ディスク状の記録媒体に記録が行われるときには、既に記録されているデータに上書きしないというルールに基づいて記録が行われるからである。
【００８６】
ディスク状の記録媒体に映像Ａと映像Ｂを記録させたとき、編集者が、映像Ａと映像Ｂとの間にポストロール区間が残っている映像を意図して作成したときならば良いが、テープ状の記録媒体のときと同様な映像、すなわち、映像Ａと映像Ｂとの間にポストロール区間が存在しない映像を意図して作成したときだと、編集者の意図と異なる編集がされてしまうことになる。
【００８７】
このような不都合が生じないようにディスク状の記録媒体に複数の映像を記録させるような編集のときであっても、映像と映像の間にポストロール区間が存在しないように制御されるようにする。
【００８８】
そのような制御が行われる編集システムの処理、ここでは特に、記録装置５１で行われる処理について、図１３、図１４を参照して説明する。また、図１３に示したフローチャートの処理は、記録装置５１がAUTO EDITコマンドを受信したときに、行われる一連の動作である（１回のAUTO EDITコマンドで実行される動作である）。
【００８９】
ステップＳ１１において、記録装置５１の制御部７１（図１１）は、ノンリニア編集機５２からAUTO EDITコマンドを受信する。AUTO EDITコマンドを受信するときに、記録部７２にセットされている記録媒体に記録されている映像は、図１４のステップＳ１１の状態として示したように、映像Ａが記録されている状態であるとする。換言すれば、AUTO EDITコマンドが映像Ａに対して実行され、記録された状態であるか、または、先頭部分にカラーバーなどの映像信号が記録されている状態である。
【００９０】
映像Ａが記録媒体に記録されている状態のときに、AUTO EDITコマンドが受信され、映像Ｂが続けて記録される場合を例にあげて説明する。
【００９１】
制御部７１は、AUTO EDITコマンドを受信すると、ステップＳ１２において、記録部７２を制御し、ＩＮ点にプリロール（PREROLL）する。そして、ステップＳ１３において再生が開始される。
【００９２】
ＩＮ点とは、記録を開始させる位置である。ＩＮ点にプリロールするとは、ＩＮ点より所望の区間、例えば、数秒前の位置に頭出しすることを意味する。例えば、図１４のステップＳ１２の状態として示したように、映像Ｂの記録を開始させるＩＮ点より数秒前のポイントＰ１の位置から再生が開始される。
【００９３】
制御部７１の制御のもと、記録部７２により再生が開始されると、ステップＳ１４において、ＩＮ点に到達したか否かが判断される。図１４のステップＳ１３の状態として示したように、映像Ａの再生がＩＮ点まで到達すると（換言すれば、映像Ａの終端まで再生がされると）、ＩＮ点に到達したと判断され、ステップＳ１５に処理が進められる。制御部７１は、記録部７２の状態を監視し、ＩＮ点に到達したか否かを、ＩＮ点に到達したと判断するまで、判断し続ける。
【００９４】
ＩＮ点に到達されたと判断されると、ステップＳ１５において、記録が開始される。制御部７１は、記録部７２が、再生を停止し、ノンリニア編集機５２から供給される映像Ｂの記録に処理を切り替えるような制御を開始する。この場合、図１４のステップＳ１５の状態として示すように、ＩＮ点から映像Ｂの記録が開始される。映像Ｂの記録が開始されると、ステップＳ１６において、ＯＵＴ点に到達したか否かが判断される。ＯＵＴ点とは、記録を終了させる位置である。
【００９５】
図１４のステップＳ１６の状態として示したように、映像Ｂの記録が継続されていると、ＯＵＴ点に到達する。制御部７１は、記録部７２の状態を監視し、ＯＵＴ点に到達したか否かを、ＯＵＴ点に到達したと判断するまで、判断し続ける。ＯＵＴ点に到達した時点で、ステップＳ１７において、ポストロール区間の記録が設定されているか否かが判断される。
【００９６】
ポストロール区間の記録が設定されているか否かの判断は、例えば、制御部７１が、設定情報を確認することにより行われる。設定情報は、制御部７１が各種の処理を実行する上で必要となるデータを保持する記憶部（不図示）に記憶されている。また、設定情報は、ユーザの指示に基づき生成され、記憶される。
【００９７】
ここで、ポストロール区間の記録を設定するか否かを、ユーザが設定できるようにするためのユーザインタフェース（UI:User Interface）について説明を加える。図１５は、操作・表示部７３に表示される画面の一例を示す図である。図１５に示した画面には、ポストロール区間の記録を行うか否かの選択肢が記載された選択肢表示領域１３１、選択肢表示領域１３１に表示されている選択肢を選択する際に操作されるボタン１３２とボタン１３３、選択された選択肢で設定するときに操作されるボタン１３４、および、設定を取り消すとき操作されるボタン１３４が表示されている。
【００９８】
選択肢表示領域１３１には、ポストロール区間を記録するように設定されるときの選択肢として“ＯＮ”という表示と、ポストロール区間を記録しないように設定されるときの選択肢として“ＯＦＦ”という表示がされている。この“ＯＮ”または“ＯＦＦ”を選択するのに、ボタン１３２およびボタン１３３が操作される。ボタン１３２乃至ボタン１３４は、マウスなどを操作することにより選択できるように構成されている。またはタッチパネルなどにより、直接操作できるようにしても良い。
【００９９】
また、選択肢表示領域１３１において選択されている選択肢は、選択されていない選択肢と区別がつくように表示される。図１４に示した例においては、“ＯＮ”という選択肢が選択されていることをユーザに認識させるために、四角で“ＯＮ”という文字が囲まれて表示されている。
【０１００】
選択されている選択肢で設定するときには、ボタン１３４が操作され、設定を保存せずに処理を終了させるときにはボタン１３５が操作される。
【０１０１】
ボタン１３４が操作されたとき、その時点で設定されている設定情報が記憶される。例えば、ポストロール区間を記録しないという選択肢である“ＯＦＦ”が選択されている状態のときに、ボタン１３４が操作されると、“ポストロール区間を記録しない”という設定情報が、制御部７１により設定され、記憶される。
【０１０２】
このような設定は、図１３に示したフローチャートの処理が開始される前、すなわち、AUTO EDITコマンドが出される前の時点で行われる。このようなポストロール区間を記録させるか否かの設定は、ステップＳ１７において実行される判断処理が行われる前の時点で行われていれば良い。
【０１０３】
また、図１５に示したような画面で一度設定された情報は、設定が変更されるまで継続されても良いし、AUTO EDITコマンドを受信するたびに設定し直されるようにしても良い。例えば、映像Ａが記録される前の時点で設定が行われ、映像Ｂが記録されるときにも、引き続きその設定が引き継がれて記録が行われるようにしても良いし、映像Ｂが記録されるときには、新たに設定し直されるようにしても良い。
【０１０４】
図１３のフローチャートの説明に戻り、ステップＳ１７においては、制御部７１により記憶されている設定情報が参照され、ポストロール区間の記録が設定されているか否かが判断される。ステップＳ１７において、ポストロール区間の記録が設定されいないと判断された場合、ステップ１８に処理が進められる。ステップＳ１８に処理が来る場合、ＯＵＴ点まで到達し、ポストロール区間を記録しない設定となっているため、記録の処理が終了される。制御部７１は、記録部７２を記録が停止されるように制御する。
【０１０５】
このようにポストロール区間の記録がされずに、記録が終了されると、図１４のステップＳ１８の状態として示したような完パケが作成される。図１４に示したように、ポストロール区間が記録されないために、ＯＵＴ点で記録が終了されている。このような完パケに対して、さらに映像Ｃを接続するような場合、映像ＢのＯＵＴ点が映像ＣのＩＮ点とされ、記録が行われるため、映像Ｂと映像Ｃの間に、ポストロール区間が挿入されたような映像となるようなことはない。
【０１０６】
一方、ステップＳ１７において、ポストロール区間を記録すると設定されていると判断された場合、ステップＳ１９に処理が進められる。ステップＳ１９に処理が来る場合、ＯＵＴ点まで到達し、ポストロール区間を記録するという設定となっているため、ポストロール区間の記録が行われ、その後、記録の処理が終了される。
【０１０７】
このようにポストロール区間の記録がされたあと、記録が終了されると、図１４のステップＳ１９の状態と示したような完パケが作成される。図１４に示したように、ポストロール区間が記録されるために、ＯＵＴ点以降も所定の秒数だけ記録されてから記録が終了されている。
【０１０８】
例えば、記録媒体としてディスク状の記録媒体が用いられている場合には、ＯＵＴ点から、所定の時間分だけのデータが記録された状態で記録が終了される（すなわち、例えば、予めポストロール区間分のデータが用意されており、そのデータが記録媒体に書き込まれることで、記録処理が終了される）。また記録媒体としてテープ状の記録媒体が用いられている場合には、所定の時間分だけ記録が継続されることにより、所定の時間分のデータが記録され、その後、記録が終了される。
【０１０９】
このように、本実施の形態においては、ポストロール区間を記録するか否かをユーザが設定できるようになる。よって、例えば、ディスク状の記録媒体を用いて編集を行うような場合であっても、ポストロール区間の映像がない、複数の映像（完パケ）が連続した完パケを作成することが可能となる。また、ポストロール区間を記録するか否かの設定だけ行えば、ユーザは、ビデオテープなどのテープ状の記録媒体を用いて編集する場合と同じ操作で意図する映像を作成することが可能となる。
【０１１０】
上述した実施の形態においては、図１０に示したように、ノンリニア編集機５２による組み合わせで編集システムを組む場合を例にあげて説明したが、リニア編集を行う編集機との組み合わせで編集システムを組む場合にも、本発明を適用することができる。
【０１１１】
また、上述した実施の形態においては、映像を編集する場合を例にあげて説明したが、音声を編集する場合にも本発明を適用することは可能である。
【０１１２】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１１３】
コンピュータにインストールされ、コンピュータによって実行可能な状態とされるプログラムを格納するプログラム格納媒体は、図１２に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア１１１、または、プログラムが一時的もしくは永続的に格納されるＲＯＭ１０２や、記憶部１０８を構成するハードディスクなどにより構成される。プログラム格納媒体へのプログラムの格納は、必要に応じてルータ、モデムなどのインタフェースである通信部１０９を介して、ローカルエリアネットワーク、インターネット、デジタル衛星放送といった、有線または無線の通信媒体を利用して行われる。
【０１１４】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１１５】
また、本明細書において、システムとは、複数の装置により構成される装置全体を表すものである。
【０１１６】
なお、本発明の実施の形態は、上述した実施の形態に限定されるものではなく、本発明の要旨を逸脱しない範囲において種々の変更が可能である。
【図面の簡単な説明】
【０１１７】
【図１】従来の編集システムの一例の構成を示す図である。
【図２】編集について説明する図である。
【図３】編集について説明する図である。
【図４】編集について説明する図である。
【図５】編集について説明する図である。
【図６】従来の編集システムの他の構成例を示す図である。
【図７】編集について説明する図である。
【図８】再生から記録に処理が移行するときの処理について説明する図である。
【図９】ポストロール区間が残ることについて説明するための図である。
【図１０】本発明の編集システムの一実施の形態の構成を示す図である。
【図１１】記録装置の内部構成例を示す図である。
【図１２】ノンリニア編集機の内部構成例を示す図である。
【図１３】記録装置の動作について説明するフローチャートである。
【図１４】編集について説明する図である。
【図１５】表示部に表示される画面の一例を示す図である。
【符号の説明】
【０１１８】
５１  記録装置，  ５２  ノンリニア編集機，  ７１  制御部，  ７２  記録部，  ７３  操作・表示部，  １０１  ＣＰＵ，  １０２  ＲＯＭ，  １０３  ＲＡＭ，  １０４  バス，  １０５  入出力インタフェース，  １０６  入力部，  １０７  出力部，  １０８  記憶部，  １０９  通信部，  １１０  ドライブ，  １１１  リムーバブルメディア
【図１】
2008065895.tif 000003
【図２】
2008065895.tif 000004
【図３】
2008065895.tif 000005
【図４】
2008065895.tif 000006
【図５】
2008065895.tif 000007
【図６】
2008065895.tif 000008
【図７】
2008065895.tif 000009
【図８】
2008065895.tif 000010
【図９】
2008065895.tif 000011
【図１０】
2008065895.tif 000012
【図１１】
2008065895.tif 000013
【図１２】
2008065895.tif 000014
【図１３】
2008065895.tif 000015
【図１４】
2008065895.tif 000016
【図１５】
2008065895.tif 000017